(57)【要約】【課題】コネクタ側面とコネクタ収容凹部の側壁との間での不規則な接触による床鳴り音が発生するのを回避することのできる床暖房パネルを開示する。【解決手段】床暖房パネル１０Ｘにおいて、可動側コネクタ収容凹部２４を固定側コネクタ収容凹部２２よりも横幅が広くするとともに、固定側コネクタ収容凹部２２を可動側コネクタ収容凹部２４の一方の側縁２５側に偏位した位置に形成する。それにより、床暖房パネル１０Ｘ同士を接続したときに、電源線４０の引き出し代４１の内部応力が解放した位置での可動側コネクタ３２の中心線Ｌ１と、固定側コネクタ３１の中心線Ｌ２とを、予め一致させることが可能となり、施工後に固定側コネクタ３１が側方に移動して固定側コネクタ収容凹部２２の側壁に接触するのを回避できる。それにより、接触による床鳴り音が発生するのを防止できる。【選択図】図１
2010230296.tif 000002
【特許請求の範囲】
【請求項１】
木質材によって形成されたパネル基材と、前記パネル基材の裏面側に配設される電気ヒータと、前記電気ヒータに結線された状態で前記パネル基材を横断する電源線と、前記パネル基材の一方の側縁に形成された固定側コネクタ収容凹部と、前記電源線の一端側に接続され前記固定側コネクタ収容凹部に収容保持される固定側コネクタと、前記パネル基材の他方の側縁において前記固定側コネクタ収容凹部と対向する位置に形成された可動側コネクタ収容凹部と、前記電源線の他端側に接続され前記可動側コネクタ収容凹部に引き出し可能に収容される可動側コネクタと、前記電気ヒータ及び前記電源線を前記パネル基材との間に挟み込むように、前記パネル基材の裏面に貼着される緩衝材と、を備えた床暖房パネルにおいて、
前記可動側コネクタ収容凹部は前記固定側コネクタ収容凹部よりも横幅が広く、かつ前記固定側コネクタ収容凹部は、前記他方側の側縁に形成された可動側コネクタ収容凹部の一方の側縁側に所定距離だけ偏位した位置において、前記一方側の側縁に形成されていることを特徴とする床暖房パネル。
【請求項２】
前記偏位距離が、前記電源線の引き出し代が可動側コネクタ収容凹部内に内部応力を有しない状態で収容されたときに可動側コネクタが位置するときの前記可動側コネクタの中心線と、可動側コネクタ収容凹部の中心線との距離であることを特徴とする請求項１に記載の床暖房パネル。
【発明の詳細な説明】
【技術分野】
【０００１】
この発明は、発熱体として電気ヒータを使用した電気式の床暖房パネル、特に、コンクリートスラブ等の上に直接敷設する直貼りタイプの床暖房パネルに関する。
【背景技術】
【０００２】
上記した形態の床暖房パネルは、特許文献１あるいは２等に示されるように、よく知られている。具体的には、図３（ａ）に示すように、次のような構成を備える。すなわち、床暖房パネル１０は、木質材によって形成されたパネル基材２０と、前記パネル基材２０の裏面側に配設される電気ヒータ３０と、前記電気ヒータ３０に結線された状態で前記パネル基材２０を横断する電源線４０とを備える。前記電源線４０の一端側には固定側コネクタ（メスコネクタ）３１が接続され、他端側には可動側コネクタ（オスコネクタ）３２が接続される。また、前記パネル基材２０の一方の側縁２１側は前記固定側コネクタ３１を収容保持する固定側コネクタ収容凹部２２が形成され、パネル基材２０の他方の側縁２３側は前記可動側コネクタ３２を収容保持する可動側コネクタ収容凹部２４が形成される。そして、電気ヒータ３０および電源線４０をパネル基材２０との間に挟み込むように、パネル基材２０の裏面には、図示しない緩衝材が貼着される。
【０００３】
従来の床暖房パネル１０では、図示のように、固定側コネクタ収容凹部２２と可動側コネクタ収容凹部２４とは、双方の幅方向の中心線が一致する状態でパネル基材２０の両側縁に対向して形成される。そして、固定側コネクタ収容凹部２２の大きさは、固定側コネクタ３１よりもわずかに大きな大きさ（施工時に必要な最低限の余裕をもった大きさ）とされ、固定側コネクタ３１は引き出し不能な状態で固定側コネクタ収容凹部２２内に収納されている。
【０００４】
一方、可動側コネクタ３２は、床暖房施工時での床暖房パネル１０同士の電気的接続を容易にするために、電源線４０に引き出し代４１を設け、その先端に接続されている。施工時には、可動側コネクタ３２を、前記引き出し代４１を利用して、前記可動側コネクタ収容凹部２４から引き出し、引き出した状態で隣接する床暖房パネル１０の固定側コネクタ３１に接続する。接続後、図３（ｂ）に示すように、可動側コネクタ３２は、前記引き出し代４１とともに、可動側コネクタ収容凹部２４内に収納される。引き出し代４１と可動側コネクタ３２の双方を確実に収容できるように、可動側コネクタ収容凹部２４の大きさは、横幅と奥行きの双方において、固定側コネクタ収容凹部２２よりも大きくされている。
【先行技術文献】
【特許文献】
【０００５】
【特許文献１】特開２００５−３１５５０２号公報
【特許文献２】特開２００８−８３１３８号公報
【発明の概要】
【発明が解決しようとする課題】
【０００６】
本発明者らは、上記した形態の床暖房パネル１０を用いて、床暖房施工を行ってきているが、施工の具合によっては、歩行による上からの荷重がかかったときに、固定側コネクタ３１と可動側コネクタ３２との接合部において、異音（床鳴り音）が発生する場所と発生しない場所があることを経験した。そして、床鳴りは、図４（ａ）に示すように、接合したコネクタにおける固定側コネクタ３１が固定側コネクタ収容凹部２２の側壁に当接することにより発生していた。一方、床鳴りが起こらない場所を見てみると、図４（ｂ）に示すように、隣接する床暖房パネル１０Ａ，１０Ｂとの間に、わずかな貼りずれ、すなわち、床暖房パネル１０Ａのコネクタ収容凹部の中心線ａ１と床暖房パネル１０Ｂのコネクタ収容凹部の中心線ｂ１との間に距離ｃの位置ずれが、施工時に生じており、そのために、固定側コネクタ３１が固定側コネクタ収容凹部２２の側壁に当接していなかった。
【０００７】
図４（ａ）に示す、固定側コネクタ３１と固定側コネクタ収容凹部２２の側壁との当接は、次のようにして起こると考えられる。すなわち、隣接する床暖房パネル１０Ａ，１０Ｂ同士を接続するときに、作業者は、図４（ａ）に示すように、可動側コネクタ３２は可動側コネクタ収容凹部２４の幅方向のほぼ中央に位置し、また、固定側コネクタ３１も固定側コネクタ収容凹部２２の幅方向のほぼ中央に位置するように接続しようとする。また、床暖房パネルの表面に形成される疑似溝による繰り返し模様が隣接する床暖房パネル間でパターンずれが生じないように、床暖房パネル１０Ａのコネクタ収容凹部の中心線ａ１と床暖房パネル１０Ｂのコネクタ収容凹部の中心線ｂ１とを一致させて敷設しようとする。そのときに、電源線４０の引き出し代４１部分は、屈曲した姿勢で可動側コネクタ収容凹部２４内に収容される。
【０００８】
引き出し代４１部分が単純に折り曲げられた姿勢で可動側コネクタ収容凹部２４内に収容される場合には、屈曲した引き出し代４１部分は内部応力を持たない。しかし、図４（ａ）に示すように、可動側コネクタ３２を可動側コネクタ収容凹部２４の幅方向のほぼ中央に位置させようとすると、引き出し代４１部分は多くの屈曲部を持った姿勢で、かつ屈曲した引き出し代４１の一部が可動側コネクタ収容凹部２４の側壁にぶつかった姿勢で、可動側コネクタ収容凹部２４内に収容されることとなり、引き出し代４１内の電線は弾性を持つことから、屈曲を開放する方向の内部応力を持つようになる。
【０００９】
その内部応力によって、可動側コネクタ３２は、図４（ａ）で右方向への付勢を受け、可動側コネクタ３２に接続している固定側コネクタ３１も右方向への付勢を受ける。それにより、固定側コネクタ３１は図で右方向に移動し、結果、固定側コネクタ３１は固定側コネクタ収容凹部２２の側壁に当接してしまう。床暖房パネル１０が不織布層と発泡樹脂層との２層構成とされる緩衝材層を裏面に有する場合には、固定側コネクタ３１が発泡樹脂層と接触することでも、異音が発生する。
【００１０】
一方、可動側コネクタ３２は、引き出し代４１内の内部応力が解放される状態まで移動しても、可動側コネクタ収容凹部２４は横幅が広く作られており、可動側コネクタ３２が可動側コネクタ収容凹部２４の側壁に当接することはない。
【００１１】
しかし、固定側コネクタ３１が可動側コネクタ３２と共に移動すると、固定側コネクタ収容凹部２２の大きさは、固定側コネクタ３１よりもわずかに大きな大きさとされているために、前記したように、固定側コネクタ３１が固定側コネクタ収容凹部２２の側壁に当接する状態になる。一方、図４（ｂ）に示すように、前記距離ｃの貼りずれが予め生じていると、固定側コネクタ３１が図で右方向に移動するような付勢力を受けても、固定側コネクタ収容凹部２２それ自体が右方向に移動していることから、その距離の大きさによっては、固定側コネクタ３１が固定側コネクタ収容凹部２２の側壁に当接するのを回避することができ、床鳴り発生を回避することができる。しかし、そのような貼りずれでもって床鳴りを解消しようとすると、床暖房パネルの表面に形成される疑似溝による繰り返し模様が隣接する床暖房パネル間でパターンずれが生じて表面模様の繰り返しに齟齬が生じ、床面の意匠性が低下する。
【００１２】
本発明は、上記のように事情を背景になされたものであり、固定側コネクタ３１と固定側コネクタ収容凹部２２の側壁との当接による床鳴りを、床面の意匠性を低下させることなく、確実に阻止することのできる床暖房パネルを提供することを課題とする。
【課題を解決するための手段】
【００１３】
本発明による床暖房パネルは、木質材によって形成されたパネル基材と、前記パネル基材の裏面側に配設される電気ヒータと、前記電気ヒータに結線された状態で前記パネル基材を横断する電源線と、前記パネル基材の一方の側縁に形成された固定側コネクタ収容凹部と、前記電源線の一端側に接続され前記固定側コネクタ収容凹部に収容保持される固定側コネクタと、前記パネル基材の他方の側縁において前記固定側コネクタ収容凹部と対向する位置に形成された可動側コネクタ収容凹部と、前記電源線の他端側に接続され前記可動側コネクタ収容凹部に引き出し可能に収容される可動側コネクタと、前記電気ヒータ及び前記電源線を前記パネル基材との間に挟み込むように、前記パネル基材の裏面に貼着される緩衝材と、を備えた床暖房パネルにおいて、前記可動側コネクタ収容凹部は前記固定側コネクタ収容凹部よりも横幅が広く、かつ前記固定側コネクタ収容凹部は、前記他方側の側縁に形成された可動側コネクタ収容凹部の一方の側縁側に所定距離だけ偏位した位置において、前記一方側の側縁に形成されていることを特徴とする。
【００１４】
図２（ａ）に示すように、本発明による床暖房パネル１０Ｘでは、可動側コネクタ収容凹部２４の中心線と固定側コネクタ収容凹部２２の中心線は、距離ｄだけずれている。この偏位距離ｄは、前記電源線４０の引き出し代４１が可動側コネクタ収容凹部２４内に内部応力を有しない状態で収容されたときに可動側コネクタ３２が位置するときの前記可動側コネクタ３２の中心線と、可動側コネクタ収容凹部２４の中心線との距離であることが最も好ましいが、厳密にその距離でなくてもよく、前記したように、固定側コネクタ収容凹部が、他方側の側縁に形成された可動側コネクタ収容凹部の一方の側縁側にある程度偏位した位置において、一方側の側縁に形成されていれば、所期の目的は達成することができる。
【発明の効果】
【００１５】
本発明による床暖房パネルでは、施工後において、各床暖房パネルでの固定側コネクタ３１と可動側コネクタ３２とがそれぞれの収容凹部２２、２４に納まった状態で、換言すれば、可動側コネクタ３２が、引き出し代４１が可動側コネクタ収容凹部２４内に内部応力を有しない状態で可動側コネクタ収容凹部２４内に収まったときに、図２（ｂ）に示すように、各床暖房パネルでの固定側コネクタ３１と可動側コネクタ３２との中心線Ｌ１，Ｌ２は直線状に揃うようになる（なお、図２（ｂ）では、床暖房パネル１０Ｂについてのみ、その状態を図示している）。そのために、引き出し代４１の内部応力によって可動側コネクタ３２が横方向に移動することはなく、結果として、固定側コネクタ３１が側方に移動することもない。それにより、図４（ｂ）に示したような貼りずれを設けなくても、固定側コネクタ３１が収容凹部２２に側壁に接触して床鳴りが発生するのを確実に回避することができる。また、貼りずれを設ける必要がないので、床暖房パネルの表面に形成される疑似溝による繰り返し模様にパターンずれのない意匠性の高い床面が得られる。
【図面の簡単な説明】
【００１６】
【図１】図１（ａ）は本発明による床暖房パネルの一例を示す裏面図、図１（ｂ）はその断面図、図１（ｃ）は床暖房パネルの施工後での状態を示す図。なお、図１（ａ）（ｃ）では、裏面に貼り付ける緩衝材は省略している。
【図２】本発明による床暖房パネルにおいて床鳴りが解消される理由を説明するための模式的図。
【図３】図３（ａ）は従来の床暖房パネルの一例を示す裏面図、図３（ｂ）はその床暖房パネルの施工後での状態を示す図。いずれにおいても、裏面に貼り付ける緩衝材は省略している。
【図４】従来の床暖房パネルで床鳴りが発生する原因を説明するための模式的図。
【発明を実施するための形態】
【００１７】
以下、図面を参照して、本発明による床暖房パネルの一形態を説明する。
図１（ａ）に示す本発明による床暖房パネル１０Ｘは、図３に基づき説明した床暖房パネル１０と同様に、木質材によって形成されたパネル基材２０と、パネル基材２０の裏面側に形成した配線溝内に配設される電気ヒータ３０と、電気ヒータ３０に結線された状態でパネル基材２０を横断する電源線４０とを備える。電源線４０の一端側には固定側コネクタ３１が接続され、他端側には可動側コネクタ３２が接続される。また、パネル基材２０の一方の側縁２１側には固定側コネクタ３１を収容保持する固定側コネクタ収容凹部２２が形成され、他方の側縁２３側には可動側コネクタ３２を収容保持する可動側コネクタ収容凹部２４が形成される。
【００１８】
パネル基材２０の裏面には、図１（ｂ）に示すように、パネル基材２０の短手方向に走る多数本の遮音溝３６が形成され、また、直貼り床材として用いることができるように、緩衝材層３７が貼り付けられている。この例において、緩衝材層３７は、不織布層３８と発泡樹脂層３９との２層構成とされている。
【００１９】
本発明による床暖房パネル１０Ｘにおいて、側縁２３側に形成した可動側コネクタ収容凹部２４は、前記した引き出し代４１を内部応力を有しない状態で収容できるように、側縁２１側に形成した固定側コネクタ収容凹部２２よりも、横幅が広くされている。そして、固定側コネクタ収容凹部２２は、側縁２３側に形成した可動側コネクタ収容凹部２４の一方の側縁２５側に所定距離ｄだけ偏位した位置において、側縁２１側に形成されている。
【００２０】
好ましくは、前記偏位距離ｄは、先に、図２（ａ）に示しかつ説明したように、施工後に、電源線４０の引き出し代４１が可動側コネクタ収容凹部２４内に内部応力を有しない状態で収容されたときに可動側コネクタ３２が位置するときの可動側コネクタ３２の中心線と、可動側コネクタ収容凹部２４の中心線との距離とされる。なお、前記偏位距離ｄは、床暖房パネルにおける前記引き出し代４１の長さに依存する値であり、それぞれの床暖房パネルにおいて、適値が決定される。
【００２１】
本発明による床暖房パネル１０Ｘでは、先に、図２（ｂ）に示しかつ説明したように、施工後において、互いに接続する床暖房パネル１０Ａ，１０Ｂの各固定側コネクタ３１と可動側コネクタ３２は、それぞれの収容凹部２２、２４に納まった状態で、図１（ｃ）に示すように、その中心線Ｌ１，Ｌ２が直線状に揃うようになる。また、可動側コネクタ３２には側方への力は作用していない。そのために、固定側コネクタ３１が収容凹部２２内で側方に移動することはなく、施工後に、固定側コネクタ３１が側壁に接触して床鳴りが発生するのを回避することができる。また、床暖房パネルの表面に形成される繰り返し模様にパターンずれのない意匠性の高い床面が得られる。
【００２２】
なお、本発明による床暖房パネル１０Ｘにおいて、電気ヒータは従来の床暖房パネルで用いられている任意の電気ヒータを用いることができる。中でも、特開２００９−０３０８９８号公報に記載される、通電により発熱する第１と第２の２本のヒータ線と検知線とからなり、第１のヒータ線と検知線は第１の被覆樹脂で被覆され、第２のヒータ線は第１の被覆樹脂よりも高い溶融温度を持つ第２の被覆樹脂で被覆されている形態の３線式ヒータを用いることは好ましい。
【符号の説明】
【００２３】
１０Ｘ…床暖房パネル、
２０…パネル基材、
２２…固定側コネクタ収容凹部、
２４…可動側コネクタ収容凹部、
２５…可動側コネクタ収容凹部の一方の側縁、
３０…電気ヒータ、
３１…固定側コネクタ、
３２…可動側コネクタ、
３６…遮音溝、
３７…緩衝材層、
３８…不織布層、
３９…発泡樹脂層、
４０…電源線、
Ｌ１…固定側コネクタの中心線、
Ｌ２…可動側コネクタの中心線。
【図１】
2010230296.tif 000003
【図２】
2010230296.tif 000004
【図３】
2010230296.tif 000005
【図４】
2010230296.tif 000006